(57)【特許請求の範囲】
【請求項１】
木製の天板、床板、一対の側板及び背板の各縁部を嵌合させ前面部を開口してなる箱体状の緊急避難箱であって、
少なくとも上記一対の側板及び背板はいずれも複数のブロックを積み上げた組立て構造を有するとともに各ブロックは複数の板材を積層させた一体構造を有しており、上記前面部側の内壁面に補強部材を取り付け、上記一対の側板の内面には前面から背板に向かって天板と床板の各縁部を案内する二組の案内溝が並設されるとともに、上記背板の内面には上記二組の案内溝にそれぞれ沿って案内された天板と床板の各先端縁部を嵌入させる嵌入溝が並設され、上記二組の案内溝の入口部分には天板と床板の各後縁部に係合させる二組のストッパ部材が取り付けられ、該二組のストッパ部材は上記前面部の上部と下部とを形成してなることを特徴とする緊急避難箱。
【請求項２】
各ブロックは組立て状態で連通する複数のピン挿入孔を有し、該複数のピン挿入孔にそれぞれ挿抜自在の頭付ピン部材を取り付けてなることを特徴とする請求項１記載の緊急避難箱。
【請求項３】
上記緊急避難箱は上記一対の側板と背板との嵌合部位を連通させた一対のピン挿入孔を有し、該一対のピン挿入孔にそれぞれ挿抜自在の頭付ピン部材を取り付けてなることを特徴とする請求項１記載の緊急避難箱。
【請求項４】
上記嵌合部位を升組構造としたことを特徴とする請求項３記載の緊急避難箱。
【請求項５】
上記二組の案内溝の入口部分にはそれぞれストッパ部材を係合させる二組の凹所が設けられ、各凹所に係合されたストッパ部材は箱体状外形の一部を形成してなることを特徴とする請求項１記載の緊急避難箱。
【請求項６】
上記緊急避難箱は上記二組のストッパ部材と該二組のストッパ部材間に介在した上記一対の側板の各先端部とを連通させた一対のピン挿入孔を有し、該一対のピン挿入孔にそれぞれ挿抜自在の頭付ピン部材を取り付けてなることを特徴とする請求項５記載の緊急避難箱。
【請求項７】
上記天板に矩形、円形等の形状を有するテーブル板を取り付けてなることを特徴とする請求項１記載の緊急避難箱。
【請求項８】
上記緊急避難箱は上記テーブル板と一対の側板間を連通させた複数のピン挿入孔を有し、該複数のピン挿入孔にそれぞれ挿抜自在の頭付ピン部材を取り付けてなることを特徴とする請求項１記載の緊急避難箱。
【請求項９】
上記頭付ピン部材は先端部に雄ねじ部を有し、上記一対の側板及び前面部はいずれも最下段に位置する板材のピン挿入孔に上記頭付ピン部材の雄ねじ部を螺合させる雌ねじ部を設けており、該雄ねじ部と雌ねじ部との螺合位置で上記頭付ピン部材の頭部がピン挿入孔の入口周縁に当接してなることを特徴とする請求項２、４、６、８のいずれかひとつに記載の緊急避難箱。
【請求項１０】
上記頭付ピン部材はボルト部材であり、上記雌ねじ部はナット部材であって上記ピン挿入孔に埋設されてなることを特徴とする請求項９記載の緊急避難箱。
【発明の詳細な説明】
【０００１】
【産業上の利用分野】
本発明は緊急避難箱に関し、特に大震災発生時に家屋倒壊前に迅速に避難するために利用するために室内に設置される箱である。
【０００２】
【従来の技術】
築年数が相当経過している木造家屋の場合、耐震設備が充実していないことが多く関東大震災や最近の阪神大震災級の大地震が起これば家屋倒壊の危機は避けられないものである。
【０００３】
また、日常の生活から掛け離れた大震災は突然襲いかかるものであり、人に逃げる時間を与えずに室内の家具や備品を倒し又は家屋全体を倒壊させ人命を奪っている。
【０００４】
特に、お年寄りにおいては、突然の震災に対して俊敏に動作することは不可能であり、テーブルの下に避難するのが精一杯のところである。また、仮に屋外に逃げ出しても住居が密集している場所や木造家屋が隣接している場所では、他の家屋倒壊等の巻き沿いに合う危険性が非常に高くなる。特に、深夜から早朝にかけては闇の中なのでその危険度がもっと高くなる。
【０００５】
このような理由から、地震発生時は室内にて安全を確保することがまず重要であり、地震が落ち着いてからでも十分に逃げ出すことができる。
【０００６】
そこで、室内に避難場所を設置するものがあり、その一例として実開昭６２−１４９５５１号公報に示された避難箱がある。この避難箱は、天井板、床面板、両側面板、全面板、後面板の６面からなりいずれも断熱壁材を鉄板で覆った構造である。また前面板にスライド式の扉を設けてこれを出入り口としている。
【０００７】
【発明が解決しようとする課題】
ところが、上記実開昭６２−１４９５５１号公報のような従来例では、スライド式の扉を設けた構成なので、緊急時のように気が動転してるときに落ち着いて扉を操作できるとは限らず、人為的な要因で扉が開かなくなるという事態も考えられる。震災時には一時も早く避難することが重要でありこれでは使い勝手が悪く安心して利用できないという問題点がある。
【０００８】
また、家屋倒壊により埋まってしまった場合には、その倒壊状況によっては閉じた扉が開かず脱出不能になったり密閉状態により救助の声が届かなくなる等の二次的災害の恐れもある。
【０００９】
さらに、避難箱のコーナーにはアングル金具が取付けられ設置面をアングル金具で形成するので、絨毯やフローリング等の床に設置した場合には移動させなくても傷や凹みを与えてしまうという問題点があった。
【００１０】
本発明の目的は、上述した従来例のような問題点を解消するためになされたものであり、災害発生時には即座に箱内に入り込むことができるとともに、震災後の救助の声を聞き漏らすことなく早い段階での脱出を図ることができる緊急避難箱を提供することにある。
【００１１】
また、本発明の他の目的は、床を傷つけずに設置することができる緊急避難箱を提供することにある。
【００１２】
【課題を解決するための手段】
上述した課題を解決して目的を達成するため、請求項１の発明に係る緊急避難箱は、木製の天板、床板、一対の側板及び背板の各縁部を嵌合させ前面部を開口してなる箱体状の緊急避難箱であって、少なくとも上記一対の側板及び背板はいずれも複数のブロックを積み上げた組立て構造を有するとともに各ブロックは複数の板材を一体積層させた構造を有しており、上記前面部側の内壁面に補強部材を取り付け、上記一対の側板の内面には前面から背板に向かって天板と床板の各縁部を案内する二組の案内溝が並設されるとともに、上記背板の内面には上記二組の案内溝にそれぞれ沿って案内された天板と床板の各先端縁部を嵌入させる嵌入溝が並設され、上記二組の案内溝の入口部分には天板と床板の各後縁部に係合させる二組のストッパ部材が取り付けられ、該二組のストッパ部材は上記前面部の上部と下部とを形成してなることを特徴とする。
【００１３】
請求項２の発明に係る緊急避難箱は、請求項１の発明において、各ブロックは組立て状態で連通する複数のピン挿入孔を有し、該複数のピン挿入孔にそれぞれ挿抜自在の頭付ピン部材を取り付けてなることを特徴とするものである。
【００１４】
請求項３の発明に係る緊急避難箱は、請求項１の発明において、上記緊急避難箱が上記一対の側板と背板との嵌合部位を連通させた一対のピン挿入孔を有し、該複数のピン挿入孔にそれぞれ挿抜自在の頭付ピン部材を取り付けてなることを特徴とするものである。
【００１５】
請求項４の発明に係る緊急避難箱は、請求項３の発明において、上記嵌合部位を升組構造としたことを特徴とするものである。
【００１６】
請求項５の発明に係る緊急避難箱は、請求項１の発明において、上記二組の案内溝の入口部分にはそれぞれストッパ部材を係合させる二組の凹所が設けられ、各凹所に係合されたストッパ部材は箱体状外形の一部を形成してなることを特徴とするものである。
【００１７】
請求項６の発明に係る緊急避難箱は、請求項５の発明において、上記緊急避難箱が上記二組のストッパ部材と該二組のストッパ部材間に介在した上記一対の側板の各先端部とを連通させた一対のピン挿入孔を有し、該複数のピン挿入孔にそれぞれ挿抜自在の頭付ピン部材を取り付けてなることを特徴とするものである。
【００１８】
請求項７の発明に係る緊急避難箱は、請求項１の発明において、上記天板に矩形、円形等の形状を有するテーブル板を取り付けてなることを特徴とするものである。
【００１９】
請求項８の発明に係る緊急避難箱は、請求項７の発明において、上記緊急避難箱が上記テーブル板と一対の側板間を連通させた複数のピン挿入孔を有し、該複数のピン挿入孔にそれぞれ挿抜自在の頭付ピン部材を取り付けてなることを特徴とするものである。
【００２０】
請求項９の発明に係る緊急避難箱は、請求項２、４、６又は８の発明において、上記頭付ピン部材は先端部に雄ねじ部を有し、上記一対の側板及び前面部はいずれも最下段に位置する板材のピン挿入孔に上記頭付ピン部材の雄ねじ部を螺合させる雌ねじ部を設けており、該雄ねじ部と雌ねじ部との螺合位置で上記頭付ピン部材の頭部がピン挿入孔の入口周縁に当接してなることを特徴とするものである。
【００２１】
請求項１０の発明に係る緊急避難箱は、請求項９の発明において、上記頭付ピン部材がボルト部材であり、上記雌ねじ部がナット部材であって上記ピン挿入孔に埋設されてなることを特徴とするものである。
【００２２】
【作用】
請求項１の発明における緊急避難箱によれば、複数の板材を一体積層させてブロック構成しているので、板材の幅によって側板や背板の肉厚が設定されるとともに、ブロックの複数組立て及び一対の側板と背板との縁部間の嵌合によって箱体状の骨格が形成される。また、補強部材は開口された前面部の内壁面に取り付けられるので、この補強部材により囲まれた部分で出入口のスペースが形成される。
さらに、側板の内面に設けた二組の案内溝に天板と床板をそれぞれ案内させ、背板の内面に設けた二組の嵌入溝に天板と床板の各先端縁部を嵌入させる。二組の案内溝の入口部分には二組のストッパ部材を取り付けて天板と床板の各後縁部を係合させ、この状態で二組のストッパ部材が前面部の上部と下部とを形成する。
【００２３】
請求項２の発明における緊急避難箱によれば、ピン挿通孔がブロック間を連通していることから頭付ピン部材を挿通させてブロックを連結させることができる。
【００２４】
請求項３乃至４の発明における緊急避難箱によれば、一対の側板と背板との嵌合部位を例えば升組構造としてここにピン挿通孔を配すことで、頭付ピン部材が嵌合部位の横方向へのずれを規制する。
【００２５】
請求項５発明における緊急避難箱によれば、二組の案内溝の各凹所とストッパ部材とを係合させてストッパ部材に箱体状外形の一部を形成させる。
【００２６】
請求項６の発明における緊急避難箱によれば、二組のストッパ部材と各側板とを連通するようにピン挿入孔を設けたので、頭付ピン部材がストッパ部材と側板間の横方向へのずれを規制する。
【００２７】
請求項７乃至８の発明における緊急避難箱によれば、テーブル板と一対の側板間を連通する各ピン挿入孔に頭付ピン部材を取り付けたので、テーブルを形成できる。
【００２８】
請求項９乃至１０の発明における緊急避難箱によれば、ボルト部材等の頭付ピン部材をピン挿通孔に挿通してその先端部をナット部材等の雌ねじ部に到達させ、その位置で順方向に回すことにより先端部の雄ねじ部と雌ねじ部とを螺合させ、この雄ねじ部と雌ねじ部との螺合位置で頭付ピン部材の頭部がピン挿入孔の入口周縁に当接される。
【００２９】
【実施例】
以下に添付図面を参照して本発明に係る好適な一実施例を詳細に説明する。図１は本発明に係る緊急避難箱の一実施例を示す外観斜視図であり、図２は図１に示した緊急避難箱の分解斜視図である。図１及び図２において、１は緊急避難箱を示している。
【００３０】
この緊急避難箱１は、天板２、一対の側板３，４、背板５、床板６を箱体状に形成して開口された前面に補強部材７を取り付けた構成である。この前面には開口された前面部１ａが形成される。
【００３１】
上記一対の側板３，４及び背板５はいずれも下段、中段、上段に分かれた各ブロック３ａ，３ｂ，３ｃ，４ａ，４ｂ，４ｃ，５ａ，５ｂ，５ｃを積み上げてなる組立て構造を有しており、各ブロックはカラマツ等の木材を使用した複数の板材を平面部分を面接により積層させその面接部分をボンド等の接着剤で接着させた構造を有している。また、天板２については、板材を側面で接合させ一体化した複数のブロック２ｂ，２ｃ，２ｄを連結してなる組立て構造であり、床板６についても同様に複数のブロック６ｂ，６ｃ，６ｄを連結してなる組立て構造である。
【００３２】
上記一対の側板３，４は、上段、中段、下段の各ブロックにおいて前面部１ａ側の内壁面に補強部材７を構成する補強用板材３６…，４６…を取り付けており、これら補強用板材３６…，４６…はボンド等の接着剤で接着される。
【００３３】
上記上段、中段、下段の各ブロックは組立て状態で連通する複数のピン挿入孔Ｈ…を有しており、このピン挿入孔Ｈ…に頭付ピン部材８…を取り付けて積み上げたブロックを一体化させている。また、緊急避難箱１は図２に示した如く一対の側板３，４と背板５とを例えば升組みによって嵌合部位を形成する構造を有しており、この嵌合部位にもピン挿入孔Ｈ…が配設される。
【００３４】
次に各部の構成について詳述する。図３は図１に示した側板上部に設けた案内溝の一例を示す要部斜視図、図４は図１に示した側板下部に設けた案内溝の一例を示す要部斜視図、図５は図１に示した上部のストッパ部材に設け嵌入溝の一例を示す要部斜視図、図６は図１に示した背板上部に設けた嵌入溝の一例を示す要部斜視図、図７は図１に示した背板下部に設けた嵌入溝の一例を示す要部斜視図、そして、図８はピン挿通孔のナット埋設状態の一例を示す側断面図である。
【００３５】
上記一対の側板３，４で形成される内壁面には、図３及び図４に示した如く前面部１ａ側から背板５側に向かって案内溝３０，４０と３２，４２とがそれぞれ並設されている。また、上記背板５には、図６及び図７に示した如く二組の案内溝３０，４０と３２，４２とにそれぞれ連通する二組の嵌入溝５０，５２が並設されている。
【００３６】
上記二組の案内溝３０，４０と３２，４２の入口部分には、図１に示した如く天板２と床板６の各後縁部に係合させるストッパ部材２ａ，６ａがそれぞれ取り付けられており、この二組のストッパ部材２ａ，６ａは前面部１ａの上部と下部とを形成してなる。
【００３７】
また、二組の案内溝３０，４０と３２，４２の入口部分には、図２乃至図４に示した如くそれぞれストッパ部材２ａ，６ａを係合させる二組の凹所３３ａ，４４ａと３３ｂ，４４ｂとが設けられている。凹所３３ａ，４４ａと３３ｂ，４４ｂにそれぞれ係合されたストッパ部材２ａ，６ａは箱体状外形の一部を形成する。
【００３８】
上記緊急避難箱１に設けたピン挿入孔Ｈ…の中には、図２及び図５に示した如く二組のストッパ部材２ａ，６ａとこれらストッパ部材２ａ，６ａ間に介在した一対の側板３，４の各先端部とを連通させるものもある。
【００３９】
頭付ピン部材８は、図２に示した如く、先端部に雄ねじ部８ａを有しており、例えばボルト部材が好適である。また、ピン挿入孔Ｈ…は図８に示したストッパ部材６ａの如く箱体の例えば最下段の板材の位置に頭付ピン部材８の雄ねじ部８ａを螺合させる雌ねじ部９が設けられている。この雄ねじ部８ａと雌ねじ部９との螺合位置で頭付ピン部材８の頭部がピン挿入孔Ｈの入口周縁に当接されるようにピン挿入孔Ｈの長さは設定される。なお、雌ねじ部９はナット部材であってピン挿入孔Ｈに埋設されてなる。
【００４０】
次に緊急避難箱１の組立て手順について図９から図１２を参照して説明する。図９から図１２は組立て手順を示す図、図１３は組立て後の前面部側の断面形状を示す側断面図、そして、図１４は組立て後の背板側の断面形状を示す側断面図である。
【００４１】
緊急避難箱１は、一対の側板及び背板５の各ブロックを下段から中段、上段の順に組立てられる。まず、一対の側板３，４の下段ブロック３ｃ，４ｃを対向配置させこれらの後縁部に設けた升組構造と背板５の下段ブロック５ｃの両縁部に設けた升組構造とを嵌合させる。このとき下段ブロック３ｃ，４ｃ，５ｃによって囲まれる内壁面には案内溝３２，４２と嵌入溝５２とが連通されこの入口より床板６のブロック６ｃ，６ｂが順に挿入される。ブロック６ｃの先端が嵌入溝５２に嵌入された位置でブロック６ｂの挿入量が規制され、ブロック６ｂ後縁部の一部は案内溝３２，４２からはみ出して前面部１ｃの一部を形成する。このはみ出したブロック６ｂの下には凹所３３ｂ，４４ｂが形成されており、ここにストッパ部材６ａが係入される。この段階ではストッパ部材６ａと凹所３３ｂ，４４ｂとは仮係合状態である。このようにして下段が形成される（図９）。
【００４２】
次に、一対の側板３，４の中段ブロック３ｂ，４ｂ及び背板５の中段ブロック５ｂをそれぞれ下段ブロック３ｃ，４ｃ及び５ｃに積み上げるとともに各升組構造を嵌合させて中段を形成する（図１０）。
【００４３】
さらに、一対の側板３，４の上段ブロック３ａ，４ａ及び背板５の上段ブロック５ａをそれぞれ中段ブロック３ｂ，４ｂ及び５ｂに積み上げるとともに各升組構造を嵌合させる。このとき上段ブロック３ａ，４ａ，５ａによって囲まれる内壁面には案内溝３０，４０と嵌入溝５０とが連通されこの入口より天板２のブロック２ｄ，２ｃ，２ｂが順に挿入される。ブロック２ｄの先端が嵌入溝５０に嵌入された位置でブロック６ｂの挿入量が規制され、ブロック６ｂ後縁部の一部は案内溝３０，４０からはみ出してストッパ部材２ａの嵌入溝２０に嵌入される。このときストッパ部材２ａと凹所３３ａ，４４ａとは仮係合状態である。
【００４４】
そして、ピン挿入孔Ｈ…に頭付ピン部材８…を挿入させる。例えば二組のストッパ部材２ａ，６ａ間については、図１３に示した如く最下段に位置する板材すなわちストッパ部材６ａのピン挿入孔Ｈに埋設させた雌ねじ部９に頭付ピン部材８の雄ねじ部８ａを螺合させ、かつ頭付ピン部材８の頭部がピン挿入孔Ｈの入口周縁に当接させて一体に固定させる。また、背板６に設けたピン挿入孔Ｈ，Ｈについても同様に頭付ピン部材８，８を挿入させ、升組構造による嵌合部位の一体化を強化する。この実施例では、一対の側板３，４の長手方向において、略中央にもピン挿入孔Ｈ，Ｈが配設されており、ここにも同様に頭付ピン部材８，８を挿入させ一体化させる。
【００４５】
このようにして組み立てられた緊急避難箱１は、例えば図１５に示した如く使用することができる。図１５には、緊急避難箱１を壁Ｗのコーナーに設置させた例を示しており、天板２上に花瓶１０２や電話機等を載せれておけば、スペースを有効に活用することが可能である。また、突然震災が発生しても図１５に示した如く数人の人が余裕をもって避難できる。
【００４６】
以上の説明によれば、複数の板材を積層させて板材の幅によって側板３，４や背板５の肉厚が設定されるとともに、ブロックの組立て及び側板３，４と背板５との縁部間の嵌合によって箱体状の骨格を形成したので、上方からの加重に対して反り等の変形を生じることがなく高い保形性を得ることができる。特に、補強部材７を開口された前面部１ａの内壁面に取り付けてこの補強部材７より囲まれた部分で出入口のスペースを形成したので、前面部１ａの剛性を高めて保形性の強化を図ることができるとともに、補強部材７の厚み分だけ前面部１ａの開口幅を狭める程度で済む。
【００４７】
また、ピン挿通孔Ｈがブロック間を連通していることから頭付ピン部材８を挿通させてブロックを連結させ、組立て後の安定性を得ることができる。
【００４８】
さらに、側板３，４と背板５との嵌合部位を升組構造としてここにピン挿通孔を配すことで、頭付ピン部材８が嵌合部位の横方向へのずれを規制するので、震災時に衝撃や家具等との衝突があっても嵌合状態を保持できる。
【００４９】
そして、側板３，４の内面に設けた二組の案内溝３０，４０と３２，４２とに天板２と床板６をそれぞれ案内させ、背板５の内面に設けた二組の嵌入溝５０，５２に天板２と床板６の各先端縁部を嵌入させるので、組立てが容易である。
【００５０】
また、二組の案内溝３０，４０と３２，４２の入口部分に二組のストッパ部材２ａ，６ａを取り付けて天板２と床板６の各後縁部を係合させ、この状態で二組のストッパ部材２ａ，６ａが前面部１ａの上部と下部とを形成するので、天板２と床板６の抜けを防止することができる。
【００５１】
さらに、二組の案内溝３０，４０と３２，４２の入口部分の各凹所３３ａ，４４ａと３３ｂ，４４ｂとストッパ部材２ａ，６ａとを係合させたので、ストッパ部材２ａ，６ａに箱体状外形の一部が形成されるので、緊急避難箱１は例えば図１５の床Ｆに面接状態で設置され、よって、設置時や撤去後に床を傷付けずみ済む。
【００５２】
そして、二組のストッパ部材２ａ，６ａと各側板３，４とを連通するようにピン挿入孔Ｈ，Ｈを設けたので、頭付ピン部材８，８がストッパ部材２ａ，６ａと側板３，４間の横方向へのずれが規制され、よって、震災時に衝撃や家具等との衝突があっても嵌合状態を保持することができる。
【００５３】
次に変形例について説明する。図１６は前述の実施例の変形例を示す外観斜視図であり、図において、８０は変形例の緊急避難箱を示している。この緊急避難箱８０は、天板２に矩形、円形等の形状を有するテーブル板８２を取り付けており、このテーブル板８２には一対の側板３，４間と連通する複数のピン挿入孔Ｈが配設されている。この場合、頭付ピン部材８０は前述の頭付ピン部材８よりもテーブル板８２の板厚分長く設定すればよい。
【００５４】
このように、テーブル板８２と一対の側板３，４間を連通する各ピン挿入孔Ｈに頭付ピン部材８を取り付けてテーブルを形成したので、普段はテーブルとして生活に支障なく利用できるとともに、震災時には緊急避難箱として利用できる。また、テーブル板８２に花瓶１０２を載せたり、前面部１ａの入口にカーテン１０６を取り付けてもよく、これで出入りに支障を来すことはなく、インテリアとしの美観を醸し出すものである。
【００５５】
さて、本発明は、上記実施例で示したピン挿入孔Ｈの配置に限定されず、例えば各側板の前面部１ａと背部５間に略中央の一本だけ設けるのではなくその距離に応じて２本、３本と増加させてもよい。
【００５６】
また、本発明は、上記実施例で示した上・中・下の三段階のブロックに限定されず、例えば高さに応じて４段、５段と増加させてもよい。
【００５７】
さらに、本発明は、上記実施例で示したように側板３，４の内壁面に補強部材７を取り付けて補強する構成に限定されず、例えば側板３，４及びストッパ部材２ａ，６ａで囲まれる矩形状の内壁面に木製や金属製等の枠部材を取り付けた構成でもよく、あるいは側板３，４、ストッパ部材２ａ，６ａ間の隣合う内壁面又は隣接する３内壁面に木製や金属製等のアーチ部材を取り付けた構成であってもよい。
【００５８】
そして、本発明は、上段から下段までのブロックの組立てに頭付ピン部材８を使用しているがこれに限定されず、例えば積み上げたブロックを上方より被嵌して一体化させる金属製等の被嵌部材に代用させてもよい。この場合には、被嵌部材が床面に接触しないようにその先端の長さを設定する。
【００５９】
【発明の効果】
以上説明したように請求項１の発明によれば、複数の板材を積層させて板材の幅によって側板や背板の肉厚が設定されるとともに、ブロックの組立て及び一対の側板と背板との縁部間の嵌合によって箱体状の骨格を形成したので、上方からの加重に対して反り等の変形を生じることがなく高い保形性を得ることができる。
特に、補強部材を開口された前面部の内壁面に取り付けてこの補強部材により囲まれた部分で出入口のスペースを形成し、併せて入口部分の天板と床板に二組のストッパ部材が取り付けられて前面部の上部と下部とを形成したので、前面部の剛性を高めて保形性の強化を図ることができるとともに、補強部材やストッパ部材の厚み分だけ前面部の開口幅を狭める程度なので、補強部材やストッパ部材が避難や脱出の際の出入りに障害を来すことはなく、震災発生時の慌ただしいときでも迅速に内部へ入り込むことが可能である。また、震災後に外部からの救助の声を聞き漏らすことなく、生存時の脱出を図ることが可能である。
【００６０】
また、請求項１の発明によれば、側板の内面に設けた二組の案内溝に天板と床板をそれぞれ案内させると同時に背板の内面に設けた嵌入溝には天板と床板の各先端縁部を嵌入させ、二組の案内溝の入口部分には二組のストッパ部材を取り付けて天板と床板の各後縁部を係合させ、この状態で二組のストッパ部材が前面部の上部と下部とを形成するので、天板と床板の抜けを防止することができる。
【００６１】
さらに、請求項１の発明によれば、複数の板材を一体積層したブッロクにすると同時にブロックを複数段に積み上げして一対の側板、背板及び前面部とし、側板の内面に設けた二組の案内溝に天板と床板をそれぞれ案内させて背板の内面に設けた二組の嵌入溝に天板と床板の各先端縁部を嵌入させ、あわせて天板と床板の各後端部に二組のストッパ部材が係合されるので、組立てが容易であるうえに、分解・組立てが可能となり、よって、出荷や保管時のコンパクト化を図ることができる。
【００６２】
また、請求項２の発明によれば、ピン挿通孔がブロック間を連通していることから頭付ピン部材を挿通させてブロックを連結させ、組立て後の安定性を得ることができる。
【００６３】
請求項３乃至４の発明によれば、一対の側板と背板との嵌合部位を例えば升組構造としてここにピン挿通孔を配すことで、頭付ピン部材が嵌合部位の横方向へのずれを規制するので、震災時に衝撃や家具等との衝突があっても嵌合状態を保持することができる。
【００６４】
請求項５の発明によれば、二組の案内溝の各凹所とストッパ部材とを係合させたので、ストッパ部材に箱体状外形の一部が形成されるので、緊急避難箱は床に面接状態で設置され、よって、設置時や撤去後に床を傷付けずみ済む。
【００６５】
請求項６の発明によれば、二組のストッパ部材と各側板とを連通するようにピン挿入孔を設けたので、頭付ピン部材がストッパ部材と側板間の横方向へのずれが規制され、よって、震災時に衝撃や家具等との衝突があっても嵌合状態を保持することができる。
【００６６】
請求項７乃至８の発明によれば、テーブル板と一対の側板間を連通する各ピン挿入孔に頭付ピン部材を取り付けてテーブルを形成したので、普段はテーブルとして生活に支障なく利用できるとともに、震災時には緊急避難箱として利用できる。
【００６７】
さらに、請求項９乃至１０の発明によれば、ボルト部材等の頭付ピン部材の雄ねじ部とナット部材等の雌ねじ部との螺合位置で頭付ピン部材の頭部をピン挿入孔の入口周縁に当接させるようにしたので、単に組立て後の安定性を得るだけでなく最上段の板材と最下段の板材との間のブロック間の結合力を向上させることができる。
【図面の簡単な説明】
【図１】本発明に係る緊急避難箱の一実施例を示す外観斜視図である。
【図２】図１に示した緊急避難箱の分解斜視図である。
【図３】図１に示した側板上部に設けた案内溝の一例を示す要部斜視図である。
【図４】図１に示した側板下部に設けた案内溝の一例を示す要部斜視図である。
【図５】図１に示した上部のストッパ部材に設け嵌入溝の一例を示す要部斜視図である。
【図６】図１に示した背板上部に設けた嵌入溝の一例を示す要部斜視図である。
【図７】図１に示した背板下部に設けた嵌入溝の一例を示す要部斜視図である。
【図８】ピン挿通孔のナット埋設状態の一例を示す側断面図である。
【図９】組立て手順の一例を示す外観斜視図である。
【図１０】組立て手順の一例を示す外観斜視図である。
【図１１】組立て手順の一例を示す外観斜視図である。
【図１２】組立て手順の一例を示す外観斜視図である。
【図１３】組立て後の前面部側の断面形状を示す側断面図である。
【図１４】組立て後の背板側の断面形状を示す側断面図である。
【図１５】図１に示した緊急避難箱の使用例を示す外観斜視図である。
【図１６】本実施例の変形例を示す外観斜視図である。
【符号の説明】
１        緊急避難箱
２        天板
２ａ，６ａ        ストッパ部材
２ｂ，２ｃ，２ｄ，６ｂ，６ｃ        ブロック
３，４    側板
３ａ，４ａ，５ａ  上段ブロック
３ｂ，４ｂ，５ｂ  中段ブロック
３ｃ，４ｃ，５ｃ  下段ブロック
５        背板
６        底板
７        補強部材
８，８０  頭付ピン部材
９        雌ねじ部
２０，５０，５２  嵌入溝
３６，４６        補強用板材
４０，４２        案内溝
４４ａ，４４ｂ    凹所
８２      テーブル板
Ｈ        ピン挿入孔
【図１】
0003547857.tif 000002
【図２】
0003547857.tif 000003
【図３】
0003547857.tif 000004
【図４】
0003547857.tif 000005
【図５】
0003547857.tif 000006
【図６】
0003547857.tif 000007
【図７】
0003547857.tif 000008
【図８】
0003547857.tif 000009
【図９】
0003547857.tif 000010
【図１０】
0003547857.tif 000011
【図１１】
0003547857.tif 000012
【図１２】
0003547857.tif 000013
【図１３】
0003547857.tif 000014
【図１４】
0003547857.tif 000015
【図１５】
0003547857.tif 000016
【図１６】
0003547857.tif 000017